(57)【要約】【課題】カードとともに確認番号を乱数表で表示した確認番号表を送付するのに適した、カード送付台紙用シート、このシートを用いたカード送付台紙及びその作成方法を提供する。【課題の解決手段】カード送付台紙１１は、折り用ミシン目２，３を介して連接された３枚の紙片４，５，６の同一面側に、カード送付先情報印字部と、カード保持部材形成部と、確認番号表印字部とを、設けてなるカード送付台紙用シートに、カード送付先情報印字部には、カードの送付先情報１２を印字し、カード保持部材形成部には、カード１３を取り外し可能に保持するカード保持部材を形成してカード１３を保持し、確認番号表印字部には、カードの利用対象サービスを提供するインターネット銀行が、正規のカード所有者であることを確認するための確認番号を乱数表で表した確認番号表１４を印字してなる。【選択図】図４
2010162693.tif 000002
【特許請求の範囲】
【請求項１】
折り部を介して連接された複数枚の紙片からなり、同一面側に、
カードの送付先情報を印字するためのカード送付先情報印字部と、
カードを取り外し可能に保持する保持部材を設けるためのカード保持部材形成部と、
カードの利用対象サービスを提供する企業が正規のカード所有者であることを確認するための確認番号を乱数表で表した確認番号表を印字するための確認番号表印字部と、
を設けたことを特徴とするカード送付台紙用シート。
【請求項２】
請求項１記載のカード送付台紙用シートにおいて、
カード送付先情報印字部にはカードの送付先情報を印字し、
カード保持部材形成部にはカードを取り外し可能に保持するための保持部材を設けて、この保持部材によって送付先情報に対応するカードを取り外し可能に保持し、
確認番号表印字部にはカードの利用対象サービスを提供する企業が正規のカード所有者であることを確認するための確認番号を乱数表で表した確認番号表を印字して
なることを特徴とするカード送付台紙。
【請求項３】
請求項１記載のカード送付台紙用シートから請求項２記載のカード送付台紙を作成する方法であって、
カード送付台紙用シートにおけるカード送付先情報印字部にカードの送付先情報を印字し、カード保持部材形成部にはマッチング検査用のバーコードを印字し、確認番号表印字部にはカードの利用対象サービスを提供する企業が正規のカード所有者であることを確認するための確認番号を乱数表で表した確認番号表を印字する印字工程と、
カード保持部材形成部にカードを取り外し可能に保持するための保持部材を形成する保持部材形成工程と、
カードのＩＤ番号と前記バーコードがマッチングしていることを確認するマッチング検査工程と、
マッチングを確認したカードをカード保持部材によって取り外し可能に保持するカード保持工程と、
からなることを特徴とするカード送付台紙の作成方法。
【発明の詳細な説明】
【技術分野】
【０００１】
本発明は、カード送付台紙用シート、このシートを用いたカード送付台紙及びその作成方法に関し、特に、カードの利用対象サービスを提供する企業が、サービスの開始に際して、確認番号を用いた登録を要求する場合、例えば、企業がバンクカードを発行するインターネット銀行である場合に好適な、カード送付台紙用シート、このシートを用いたカード送付台紙及びその作成方法に関する。
【背景技術】
【０００２】
近年、インターネットを利用した金融が盛んになってきているが、インターネットバンキングに際して使用されるバンクカードは、従来知られている送付台紙（特許文献１、２参照）を用いて封筒に封入されて送付されている。
【先行技術文献】
【特許文献】
【０００３】
【特許文献１】実用新案登録第２５６２４４９号公報
【特許文献２】特開平６−３１６１８９号公報
【発明の概要】
【発明が解決しようとする課題】
【０００４】
ところで、インターネットバンキングを利用するにあたっては、通常、送付されてきたバンクカードとともに知らされた情報に基いて、いわゆる初回登録をすることが求められる。この初回登録に必要な情報の一つに、申込者が正規のカード所有者か否かを確認するためにあらかじめインターネット銀行側で設定し、乱数表で表示した数字を組み合わせてなる確認番号がある。従来、この確認番号を示す乱数表は、カードの一部に表示したり、送付台紙とともに同封した別の用紙に表示している。ところが、カードの一部に表示する場合はスペースが充分確保できず、乱数表が小さくなって字を読取りにくいという不都合がある。また、別の用紙に表示した場合には、この用紙を余分なものと勘違いして廃棄したり、あるいは紛失しやすいという不都合がある。これらの不都合は、カードの利用対象サービスを提供する企業がインターネット銀行以外の場合でも、サービスの開始に際して、確認番号を用いた登録を要求する場合に共通するものである。
【０００５】
本発明は、このような事情に鑑みてなされたもので、カードとともに確認番号を乱数表で表示した確認番号表を送付するのに適した、カード送付台紙用シート、このシートを用いたカード送付台紙及びその作成方法を提供することを目的とする。
【課題を解決するための手段】
【０００６】
この目的を達成するために、本発明の請求項１に係るカード送付台紙用シートは、折り部を介して連接された複数枚の紙片からなり、同一面側に、カードの送付先情報を印字するためのカード送付先情報印字部と、カードを取り外し可能に保持する保持部材を設けるためのカード保持部材形成部と、カードの利用対象サービスを提供する企業、例えば金融機関、とりわけインターネット銀行が、正規のカード所有者であることを確認するための確認番号を乱数表で表した確認番号表を印字するための確認番号表印字部とを、設けたものである。
【０００７】
同じく上記目的を達成するために、本発明の請求項２に係るカード送付台紙は、請求項１記載のカード送付台紙用シートにおいて、カード送付先情報印字部にはカードの送付先情報を印字し、カード保持部材形成部にはカードを取り外し可能に保持するための保持部材を設けて、この保持部材によって送付先情報に対応するカードを取り外し可能に保持し、確認番号表印字部にはカードの利用対象サービスを提供する企業、例えば金融機関、とりわけインターネット銀行が、正規のカード所有者であることを確認するための確認番号を乱数表で表した確認番号表を印字してなるものである。
【０００８】
同じく上記目的を達成するために、本発明の請求項３に係るカード送付台紙の作成方法は、請求項２に係るカード送付台紙の作成方法であって、請求項１記載のカード送付台紙用シートにおけるカード送付先情報印字部にカードの送付先情報を印字し、カード保持部材形成部にはマッチング検査用のバーコードを印字し、確認番号表印字部にはカードの利用対象サービスを提供する企業が正規のカード所有者であることを確認するための確認番号を乱数表で表した確認番号表を印字する印字工程と、カード保持部材形成部にカードを取り外し可能に保持するための保持部材を形成する保持部材形成工程と、カードのＩＤ番号と前記バーコードがマッチングしていることを確認するマッチング検査工程と、マッチングを確認したカードをカード保持部材によって取り外し可能に保持するカード保持工程とからなるものである。
【発明の効果】
【０００９】
本発明に係るカード送付台紙用シート、このシートを用いたカード送付台紙及びその作成方法によれば、利用サービスの提供開始にあたって、カード所有者が正規の者であることを確認番号で確認する企業が発行するカードを送付するのに最適な送付台紙を得られるという効果を奏する。
【図面の簡単な説明】
【００１０】
【図１】カード送付台紙用シートの平面図。
【図２】カード送付台紙用シートに印字工程を施した状態の平面図。
【図３】同じく保持部材形成工程を施した状態の平面図。
【図４】同じくカード保持工程を施してカード送付台紙を作成した状態の平面図。
【発明を実施するための形態】
【００１１】
以下、本発明をインターネット銀行の発行するバンクカードの送付に適用した場合の好適な実施形態について添付図面に基づき説明する。
【００１２】
図１に示すように、カード送付台紙用シート１は、折り用ミシン目２，３を介して連接された第１紙片４、第２紙片５、第３紙片６の３枚の紙片からなる。第１紙片４の表面側は、後述するカードの送付先情報を印字するカード送付先情報印字部７となっている。また、第２紙片５の表面側のほぼ左半分が、カードを取り外し可能に保持する保持部材を設けるためのカード保持部材形成部８となっている。さらに、第２紙片５の表面側のほぼ右半分には、カードの利用対象サービスを提供するインターネット銀行が、いわゆる初回登録に際して、正規の使用者であることを確認するための確認番号を乱数表で表した確認番号表を印字する確認番号表印字部９を設けている。この確認番号表印字部９は、切り用ミシン目１０で切り取り可能に形成されている。
【００１３】
図４に示すのはカード送付台紙用シート１から作成したカード送付台紙１１であり、第１紙片４のカード送付先情報印字部にはカード１３の送付先の郵便番号、住所、氏名からなる送付先情報１２を印字し、第２紙片５のカード保持部材形成部にはカード１３を保持部材たる弱粘着剤１９（図３参照）で剥離可能に接着して保持し、確認番号表印字部には確認番号表１４を印字してなる。前記送付先情報１２の一つとして印字された氏名が、正規のカード所有者名である。また、前記カード１３の表面には、「○×銀行」というインターネット銀行名、「○×  ＢＡＮＫ  ＣＡＲＤ」というカード名のほか、ＩＤ番号として使用する会員番号１６、カード所有者名１７を表示し、また、ＩＣ部１５を設けている。
【００１４】
確認番号表１４は２桁の数字を乱数表として表したものであり、インターネット銀行では、カード１３の送付に先立って、カード所有者毎にこれら数字を組み合わせて４桁の確認番号を設定している。なお、前記確認番号表１４に表示される２桁の数字は、行数と列数に応じた一定数のカード所有者に共通して使用可能であるが、前記一定数に達しない場合であっても、適宜変更することができる。
【００１５】
次に、上述のカード送付台紙用シート１からカード送付台紙１１を作成する方法を説明する。まず、図１状態にあるカード送付台紙用シート１を適宜なプリンタ、例えばインクジェットプリンタにかけて、図２に示すように、第１紙片４のカード送付先情報印字部７にカード１３の送付先情報１２を印字し、第２紙片５のカード保持部材形成部８に保持するカード１３と送付先とのマッチングを検査するためのバーコード１８を印字し、確認番号表印字部９には確認番号表１４を印字する（印字工程）。前記バーコード１８は、送付すべきカード１３に数字で表示したＩＤ番号たる会員番号１６と同一内容である。
【００１６】
次いで、図３に示すように、カード保持部材形成部８のバーコード１８の下に、弱粘着剤１９を所定範囲にわたって塗布する（保持部材形成工程）。続いて、第２紙片５に表示されたバーコード１８をバーコードリーダ（図示せず）で読み取って、あらかじめコンピュータ（図示せず）に入力されている会員番号データと照合し、一致しているか否かを判断して（マッチング検査工程）、一致している場合には、図４に示すように、弱粘着剤１６塗布部分にカード１３を載置して、カード１３を剥離可能に保持する（カード保持工程）。
【００１７】
上述のように作成した、カード送付台紙１１は、第１紙片４の送付先情報１２が表出するように、折り用ミシン目２，３でジグザク状に折り曲げられて三つ折り状態とされ、前記送付先情報１２が窓部に対応するように窓開き封筒に封入されて、郵送される。この三つ折り状態で、第３紙片６はカード１３表面を被覆保護する。
【００１８】
図４状態のカード送付台紙１１を受領したカード所有者は、カード１３を第２紙片５から剥離するとともに、切り用ミシン目１０を破断して確認番号表１４を第２紙片５から切り離す。インターネットバンキングの開始にあたって必要となる、いわゆる初回登録を行うにあたって、カード所有者は、カード発行者であるインターネット銀行のホームページにアクセスし、画面表示にしたがって、ＩＤ番号たる会員番号１６を入力し、次画面で指定された確認番号、例えばＢ２，Ａ３と指定されれば確認番号表１４でＢ２に対応する「５５」とＡ３に対応する「３９」を確認番号「５５３９」として入力する。この入力された確認番号が、あらかじめインターネット銀行が設定した確認番号と一致すると、初回登録画面に移る。そして、表示された初回登録画面において、必要事項を入力し、初回登録を終了する。
【００１９】
なお、本発明は、上述した実施形態に限定されるものではなく、例えば、カード保持部材形成部８へのカード１３の取り外し可能な保持部材は、弱粘着剤１９を用いるほか、カード隅部を挿入する切り欠きやスリットで構成してもよい。この場合には、切り欠きやスリットを形成する工程が、保持部材形成工程となり、この場合の保持部材形成工程は、印字工程に先立って施すことも可能である。また、確認番号表１４は切り用ミシン目１０で切り離し可能に形成するほか、第２紙片５の裏面に支持片を剥離可能に接着し、この支持片に対応する部分にスリットで区画した部分に印字して形成してもよい。さらに、確認番号表１４は、紙片を第２紙片５に剥離可能に接着し、この接着した紙片に印字して形成してもよいし、第２紙片５に分離不能に直接印字して形成してもよい。またさらに、カード１３のＩＤ番号は会員番号１６を利用するほか、独立したＩＤ番号として、カード１３の裏面などに表示してもよい。
【符号の説明】
【００２０】
１      カード送付台紙用シート
２，３      折り用ミシン目
４      第１紙片
５      第２紙片
６      第３紙片
７      カード送付先情報印字部
８      カード保持部材形成部
９      確認番号表印字部
１０      切り用ミシン目
１１      カード送付台紙
１２      送付先情報
１３      カード
１４      確認番号表
１５      ＩＣ部
１６      会員番号
１７      カード所有者名
１８      バーコード
１９      弱粘着剤
【図１】
2010162693.tif 000003
【図２】
2010162693.tif 000004
【図３】
2010162693.tif 000005
【図４】
2010162693.tif 000006